(57)【要約】【課題】プラズマディスプレイ装置の動作時に発生するノイズや電磁波妨害を除去するとともに、組み付け部品点数を可及的に減らして組み付け作業効率を高める。【解決手段】ＥＭＩフィルタ１５と電気的に接続したシールド部材１６に導電クッション２０を固定する。プラズマディスプレイパネル１の背面を覆うシャーシ部材５に放熱板１１を固定する。プラズマディスプレイパネル１をフロントキャビネット２に組み付ける際、放熱板１１を導電クッション２０に押圧させる。これにより、プラズマディスプレイパネル１から放射される電磁波をＥＭＩフィルタ１５で電流に変換し、その変換された電流がＥＭＩフィルタ１５からシールド部材１６、導電クッション２０、放熱板１１を経由してシャーシ部材５に流れる。【選択図】図１
0003129997.tif 000002
【実用新案登録請求の範囲】
【請求項１】
筐体の前面枠を構成するフロントキャビネットと、このフロントキャビネットの背面に設けたＥＭＩ（Ｅｌｅｃｔｒｏ  Ｍａｇｎｅｔｉｃ  Ｉｎｔｅｒｆｅｒｅｎｃｅ）フィルタと、このフィルタと電気的かつ機械的に接触して前記フロントキャビネットの外周に取り付けられる枠状の導電性シールド部材と、このシールド部材の背面側に位置して前記フロントキャビネットに固定されるパネルと、このパネルの背面を覆う導電性材料からなる金属製のシャーシ部材と、前記パネルに信号を印加して表示を行う回路ブロックと、前記シャーシ部材と電気的かつ機械的に接触するように前記シャーシ部材の背面に固定された放熱板と、前記シールド部材の背面に電気的に接触した状態で装着された導電クッションとを備え、前記シャーシ部材を介して前記パネルをフロントキャビネットに固定する際、前記導電クッションに前記放熱板を押圧させたことを特徴とするプラズマディスプレイ装置。
【請求項２】
前記放熱板は、前記シャーシ部材の下端縁から張り出して固定され、そのシャーシ部材から張り出した放熱板を前記導電クッションに押し付けるとともに、該導電クッションに前記放熱板と当接するテーパ面を形成したことを特徴とする請求項１に記載のプラズマディスプレイ装置。
【請求項３】
前記導電クッションが前記テーパ面を有する断面三角形状であることを特徴とする請求項２に記載のプラズマディスプレイ装置。
【請求項４】
前記放熱板が前記シャーシ部材に沿って該シャーシ部材のほぼ全幅に渡って配置されるとともに、前記シールド部材の幅方向に沿って前記複数の導電クッションが間隔をおいて装着されていることを特徴とする請求項１〜３の何れか１項に記載のプラズマディスプレイ装置。
【考案の詳細な説明】
【技術分野】
【０００１】
本考案は、ディスプレイとしてプラズマディスプレイを用いたプラズマディスプレイ装置、特に不要輻射ノイズを効果的に抑制することが可能なプラズマディスプレイ装置。
【背景技術】
【０００２】
近年、ディスプレイ装置は、より薄型で大画面化が要望され、いわゆる、フラットパネルの一つとして大型化及び薄型化の容易性、コントラストの高さ、反応速度の速さ、視野角の広さ等の優れた特性を備えたプラズマディスプレイ装置が脚光を浴びている。プラズマディスプレイ装置は、プラズマディスプレイパネル（以下、ＰＤＰ（Ｐｌａｓｍａ
Ｄｉｓｐｌａｙ Ｐａｎｅｌ）と略記する）と、このＰＤＰを駆動するための回路ブロックを含み、一般に、ＰＤＰは、前面パネルと後面パネルとの間に形成された隔壁が１つの単位セルをなすものであって、各セル内には不活性ガスを充填し、高周波電圧により放電される際、不活性ガスは、真空紫外線（Ｖａｃｕｕｍ  Ｕｌｔｒａｖｉｏｌｅｔ  ｒａｙｓ）を発生し、その紫外線が隔壁間の蛍光体に当たることによって、可視光が出射される。
【０００３】
ところで、ＰＤＰの駆動回路は、電気信号をデジタル処理するために電磁波を発しやすい。また、ＰＤＰ自体も電磁波を発生する。つまり、ＰＤＰおよびその駆動回路は不要輻射ノイズ（以下、ＥＭＩ（Ｅｌｅｃｔｒｏ−Ｍａｇｎｅｔｉｃ
Ｉｎｔｅｒｆｅｒｅｎｃｅ）と称す）の発生源となる。そのため、従来から、ＥＭＩが外部に漏れないように、シールド効果を有する表示装置が研究・開発されている。例えば、特許文献１に示すプラズマディスプレイ装置は、前面側にパネルが配置されかつ背面側にパネルに信号を印加して表示を行う回路ブロックが配置される金属製のシャーシ部材と、このシャーシ部材の回路ブロックが配置された背面側を覆うように配設した金属製のバックカバーと、このバックカバーとともに筐体を構成する前面枠とを備え、シャーシ部材の外周部に突起部を設け、その突起部にバックカバーを電気的に接触させてシールド構造を構成している。
【０００４】
【特許文献１】特開２００４−６９８８８号公報
【考案の開示】
【考案が解決しようとする課題】
【０００５】
しかし、特許文献１に示すプラズマディスプレイ装置では、シャーシ部材の外周部に複数の突起部を設け、その各突起部にねじ孔を設けてバックカバーに直接、接触させてねじによって突起部とバックカバーとを電気的に接続して固定したり（実施例１）、金属製のスペーサを介在して突起部とバックカバーとを固定する（実施例２）方法が採用されている。このため、組み付け作業時において、ねじ止め箇所も多いばかりでなく、バックカバー側に設けたねじの通し孔と突起部側に設けたねじ孔との位置合わせ作業も面倒であり、特にプラズマディスプレイ装置が大画面化するほど、ねじ止め箇所も増えることから、作業効率が悪く、作業性に劣るという課題を有していた。
【０００６】
本考案は上述した問題点に鑑みてなされたものであり、組み付け部品点数を可及的に減らして組み付け作業効率を高めるとともに、電磁波によるノイズの低減効果を維持することができるプラズマディスプレイ装置を提供することを目的とする。
【課題を解決するための手段】
【０００７】
請求項１のプラズマディスプレイ装置は、筐体の前面枠を構成するフロントキャビネットと、このフロントキャビネットの背面に設けたＥＭＩ（Ｅｌｅｃｔｒｏ  Ｍａｇｎｅｔｉｃ  Ｉｎｔｅｒｆｅｒｅｎｃｅ）フィルタと、このフィルタと電気的かつ機械的に接触して前記フロントキャビネットの外周に取り付けられる枠状の導電性シールド部材と、このシールド部材の背面側に位置して前記フロントキャビネットに固定されるパネルと、このパネルの背面を覆う導電性材料からなる金属製のシャーシ部材と、前記パネルに信号を印加して表示を行う回路ブロックと、前記シャーシ部材と電気的かつ機械的に接触するように前記シャーシ部材の背面に固定された放熱板と、前記シールド部材の背面に電気的に接触した状態で装着された導電クッションとを備え、前記シャーシ部材を介して前記パネルをフロントキャビネットに固定する際、前記導電クッションに前記放熱板を押圧させたことを特徴とする。
【０００８】
請求項１の構成により、パネルをフロントキャビネットに固定する際、シャーシ部材と電気的に接続した放熱板がシールド部材に取り付けた導電クッションに押し付けられ、放熱板とシールド部材とが導電クッションを介在させて電気的に接続される。これにより、パネルから放射される電磁波は、ＥＭＩフィルタで電流に変換され、変換された電流をＥＭＩフィルタからシールド部材、導電クッション、放熱板を経由してシャーシ部材に流すことで、パネルから放射される電磁波によるノイズが低減される。
【０００９】
請求項２のプラズマディスプレイ装置は、請求項１に記載のプラズマディスプレイ装置において、前記放熱板は、前記シャーシ部材の下端縁から張り出して固定され、そのシャーシ部材から張り出した放熱板を前記導電クッションに押し付けるとともに、該導電クッションに前記放熱板と当接するテーパ面を形成したことを特徴とする。
【００１０】
請求項２の構成により、パネルをフロントキャビネットに組み付ける際、放熱板が導電クッションのテーパ面に当接し、導電クッションが剥がれたり、導電クッションが歪に変形して接触不良等を原因とする導通障害の発生が抑制される。
【００１１】
請求項３のプラズマディスプレイ装置は、請求項２に記載のプラズマディスプレイ装置において、前記導電クッションが前記テーパ面を有する断面三角形状であることを特徴とする。
【００１２】
請求項３の構成により、パネルをフロントキャビネットに組み付ける際、放熱板の下端面が断面三角形状とした導電クッションのテーパ面に当接する。
【００１３】
請求項４のプラズマディスプレイ装置は、請求項１〜３の何れか１項に記載のプラズマディスプレイ装置において、前記放熱板が前記シャーシ部材に沿って該シャーシ部材のほぼ全幅に渡って配置されるとともに、前記シールド部材の幅方向に沿って前記複数の導電クッションが間隔をおいて装着されていることを特徴とする。
【００１４】
請求項４の構成により、パネルをフロントキャビネットに組み付ける際、放熱板に複数の導電クッションが接触し、ＥＭＩフィルタで変換された電流が導電クッションから放熱板へと効果的に流れ、パネルから放射される電磁波によるノイズが低減される。
【考案の効果】
【００１５】
請求項１の請求項１のプラズマディスプレイ装置によれば、筐体の前面枠を構成するフロントキャビネットと、このフロントキャビネットの背面に設けたＥＭＩ（Ｅｌｅｃｔｒｏ  Ｍａｇｎｅｔｉｃ  Ｉｎｔｅｒｆｅｒｅｎｃｅ）フィルタと、このフィルタと電気的かつ機械的に接触して前記フロントキャビネットの外周に取り付けられる枠状の導電性シールド部材と、このシールド部材の背面側に位置して前記フロントキャビネットに固定されるパネルと、このパネルの背面を覆う導電性材料からなる金属製のシャーシ部材と、前記パネルに信号を印加して表示を行う回路ブロックと、前記シャーシ部材と電気的かつ機械的に接触するように前記シャーシ部材の背面に固定された放熱板と、前記シールド部材の背面に電気的に接触した状態で装着された導電クッションとを備え、前記シャーシ部材を介して前記パネルをフロントキャビネットに固定する際、前記導電クッションに前記放熱板を押圧させたものであるから、パネルをフロントキャビネットに固定する際、ＥＭＩフィルタと電気的に接続したシールド部材と放熱板とが導電クッションを介して電気的に接続され、ねじなどの部品も不要であるとともに回路ブロックの熱を放熱する放熱板を利用することにより組み付け部品点数を削減でき、組み付け作業性にも優れる。また、パネルから放射される電磁波をＥＭＩフィルタで電流に変換し、その変換された電流をＥＭＩフィルタからシールド部材、導電クッション、放熱板を経由してシャーシ部材に流すことができるとともに、ＥＭＩフィルタとシャーシ部材とでパネルの表裏を覆うことでパネルを電磁的にシールドし、パネルから放射される電磁波によるノイズを低減することができる
【００１６】
請求項２のプラズマディスプレイ装置によれば、請求項１に記載のプラズマディスプレイ装置において、前記放熱板は、前記シャーシ部材の下端縁から張り出して固定され、そのシャーシ部材から張り出した放熱板を前記導電クッションに押し付けるとともに、該導電クッションに前記放熱板と当接するテーパ面を形成したものであるから、放熱板が導電クッションのテーパ面に確実に当接し、放熱板によって導電クッションが剥がれたり、導電クッションが歪んで導電クッションと放熱板との接触不良を引き起こす虞れがなく、導電クッションと放熱板との接触不良等による導通障害の発生を防止して、電磁波によるノイズの低減効果を維持することができる。
【００１７】
請求項３のプラズマディスプレイ装置によれば、請求項２に記載のプラズマディスプレイ装置において、前記導電クッションが前記テーパ面を有する断面三角形状であるから、パネルをフロントキャビネットに組み付ける際、放熱板が断面三角形状とした導電クッションのテーパ面に当接する。
【００１８】
請求項４のプラズマディスプレイ装置によれば、請求項１〜３の何れか１項に記載のプラズマディスプレイ装置において、前記放熱板が前記シャーシ部材に沿って該シャーシ部材のほぼ全幅に渡って配置されるとともに、前記シールド部材の幅方向に沿って前記複数の導電クッションが間隔をおいて装着されているものであるから、ＥＭＩフィルタで変換された電流が導電クッションから放熱板へと効果的に流れ、パネルから放射される電磁波によるノイズが低減される。
【考案を実施するための最良の形態】
【００１９】
以下、本考案のプラズマディスプレイ装置についての具体的実施例について、添付図面を参照しながら説明する。なお、以下の実施態様は、本考案を具体化する際の一形態であって、本考案をその範囲内に限定するためのものではない。
【実施例１】
【００２０】
図１〜図３は本考案の実施例１を示すものであり、図１はプラズマディスプレイパネルの分解斜視図、図２はプラズマディスプレイパネルの組み付け状態を示す斜視図、図３はプラズマディスプレイパネルの組み付け状態を示す断面図である。
【００２１】
図１に示すように、パネルとしてプラズマディスプレイパネル１は、フロントキャビネット２と、リアキャビネット３からなる筺体４に格納されている。フロントキャビネット２は、プラズマディスプレイパネル１の画像表示領域に対応した開口部２ａを有しており、前面枠として機能する。
【００２２】
筺体４内のプラズマディスプレイパネル１は、導電性のシャーシ部材５の前面側に固定され、シャーシ部材５の背面側には、プラズマディスプレイパネル１に信号を印加して表示を行う回路ブロックが固定されている。回路ブロックは電源基板６、スケラー基板７、デジタル基板８、インバータ基板９などで構成されている。また、シャーシ部材５の背面側には、導電性を備えた左右一対のフレーム体１０が固定され、このフレーム体１０の端部に位置して回路ブロックからの発熱を逃すための放熱板１１が固定されている。
【００２３】
左右のフレーム体１０は、全体として台形状に折曲され、その両端部に形成するフランジ部１０ａを載置し、上側のフランジ部１０ａを前記フレーム体１０にねじ止め、下側のフランジ部１０ａが前記放熱板１１を介して前記フレーム体１０にねじによって共締めされている。この放熱板１１は、シャーシ部材５のほぼ全幅に渡ってシャーシ部材５の下端縁に沿うように配置され、かつ、放熱板１１に下端縁が前記シャーシ部材５から突出するようにシャーシ部材５に固定されている。
【００２４】
前記フロントキャビネット２の背面には、フィルム状のＥＭＩ（Ｅｌｅｃｔｒｏ  Ｍａｇｎｅｔｉｃ  Ｉｎｔｅｒｆｅｒｅｎｃｅ）フィルタ１５と、このＥＭＩフィルタ１５と電気的かつ機械的に接触してフロントキャビネット２の外周に取り付けられる枠状を成す導電性のシールド部材１６とが設けられている。
【００２５】
ＥＭＩフィルタ１５は、プラズマディスプレイパネル１の画像表示領域よりも広く、そのＥＭＩフィルタ１５にシールド部材１６が接触させた状態でシールド部材１６がフロントキャビネット２の外周背面側に取り付けられている。また、フロントキャビネット２の下部には、前記シャーシ部材５の下端縁から張り出した放熱板１１と接触する複数の導電クッション２０が間隔をおいて並設されている。そして、前記プラズマディスプレイパネル１から放射される電磁波は、ＥＭＩフィルタ１５で電流に変換され、変換された電流をＥＭＩフィルタ１５からシールド部材１６、導電クッション２０、放熱板１１を経由してシャーシ部材５に流すことで、プラズマディスプレイパネル１から放射される電磁波によるノイズを低減している。これにより、プラズマディスプレイパネル１から放射される電磁波が遮断される。また、ＥＭＩフィルタ１５とシャーシ部材５とでプラズマディスプレイパネル１の表裏を覆うことでプラズマディスプレイパネル１を電磁的にシールドすることができる。また、回路ブロックから発散される熱が伝熱性に優れた放熱板１１へと流れ、放熱板１１から発散されるため、回路ブロックの周囲に熱が篭らないから、熱による回路ブロックの劣化を防止できる。このように、放熱として用いる放熱板１１をシールド部材１６に取り付けた導電クッション２０に押し付けてＥＭＩフィルタ１５とシャーシ部材５とを電気的に接続するものであるから、プラズマディスプレイパネル１を組み付けてユニット化したシャーシ部材５をフロントキャビネット２に固定するだけで、ＥＭＩフィルタ１５とシャーシ部材５とを簡単に接続することができる。また、導電クッション２０は、弾性を備え伸縮自在であるから、成形誤差や組み付け誤差なでによってシールド部材１６と放熱板１１との隙間にバラツキが生じたとしても、導電クッション２０でバラツキを吸収できるから、組み付け作業性にも優れる。
【００２６】
以上のように本実施の実施例１によれば、プラズマディスプレイパネル１をフロントキャビネット２に固定する際、ＥＭＩフィルタ１５と電気的に接続したシールド部材１６と、シャーシ部材５と電気的に接続した放熱板１１とを弾性を有する導電クッション２０を介在させて電気的に接続することにより、ねじなどの部品も不要であるとともにねじの締付け作業を省略できるから、組み付け作業を簡単かつ効率的に行うことができ、生産性を高めることができる。さらに、放熱として用いる放熱板１１を利用することにより一層、組み付け部品を削減できる。また、プラズマディスプレイパネル１から放射される電磁波をＥＭＩフィルタ１５で電流に変換し、その変換された電流をＥＭＩフィルタ１５からシールド部材１６、導電クッション２０、放熱板１１を経由してシャーシ部材５に流すことができるとともに、ＥＭＩフィルタ１５とシャーシ部材５とでプラズマディスプレイパネル１の表裏を覆うことでプラズマディスプレイパネル１を電磁的にシールドし、プラズマディスプレイパネル１から放射される電磁波によるノイズを低減することができる。
【実施例２】
【００２７】
図４は本考案の第２実施例を示し、前記実施例１と同一機能を有する部分には同一符号を付し、異なる部分についてのみ説明する。本実施例では、導電クッション３０として放熱板１１の押し付け方向に対して傾斜したテーパ面３０ａを有する断面三角形状の導電クッション３０を用いる。また、本実施例では前記実施例１で示す、シールド部材１６に変えてＥＭＩフィルタ１５の前面側にＥＭＩフィルタ１５と電気的かつ機械的に接続したＬ型のシールド材１７を配置し、このシールド材１７の立上り壁１７Ａで導電クッション３０の垂直部を支持している。
【００２８】
すなわち、プラズマディスプレイパネル１の大きさにあるいは放熱板１１の形状によっては、シールド部材１６に接着した導電クッション３０に対して放熱板１１を直交状態で組み付けられる場合がある。すなわち、放熱板１１の端部がＬ次状に屈曲し、その屈曲部１１Ａを導電クッション３０に押し付ける場合、図４（ａ）において矢印Ａに示すように、放熱板１１に形成される屈曲部１１Ａの押し付け方向が導電クッション３０の受面に対して直交することから、導電クッション３０が剥がれたり、導電クッション３０が歪んで導電クッション３０と放熱板１１との接触不良を引き起こす虞れがあるが、屈曲部１１Ａの押し付け方向に対して傾斜したテーパ面３０ａを有する断面三角形状の導電クッション３０を用いる。これにより、図４（ｂ）に示すように、プラズマディスプレイパネル１をフロントキャビネット２に組み付ける際、放熱板１１の屈曲部１１Ａが導電クッション３０のテーパ面３０ａに当接し、押圧力が分散するとともに、シールド材１７の立上り壁１７Ａで導電クッション３０を抑えることができるため、導電クッション３０が剥がれたり、導電クッション３０が歪むことによって生じる接触不良、ひいては導通障害の発生を防止することができる。また、プラズマディスプレイパネル１から放射される電磁波はＥＭＩフィルタ１５で電流に変換され、その変換された電流がＥＭＩフィルタ１５からシールド部材１７、導電クッション３０、放熱板１１を経由してシャーシ部材５に流すことから、前記実施例１と同様、プラズマディスプレイパネル１から放射される電磁波によるノイズを低減することができる。
【００２９】
以上のように、本実施例においては、導電クッション３０として放熱板１１の押し付け方向に対して傾斜したテーパ面３０ａを有する断面三角形状の導電クッション３０を用いることによって、導電クッション３０が剥がれたり、導電クッション３０が歪むことによって生じる接触不良等を防止することができる。
【００３０】
以上、本考案の実施例を詳述したが、本考案は前記各実施例に限定されるものでなく、本考案の要旨の範囲内で種々の変形実施が可能である。例えば前記実施例２では、断面三角形状の導電クッションを用いた場合を示したが、必ずしも断面三角形状に限らず放熱板の押し付け方向に対して傾斜したテーパ面を有する形状であればよい。
【図面の簡単な説明】
【００３１】
【図１】本考案の実施例１を示すプラズマディスプレイパネルの分解斜視図である。
【図２】同上、プラズマディスプレイパネルの組み付け状態を示す斜視図である。
【図３】同上、プラズマディスプレイパネルの組み付け状態を示す断面図である。
【図４】本考案の実施例１を示すプラズマディスプレイパネルの組み付け状態を示す断面図であり、図４（ａ）は組み付け前、図４（ａ）は組み付け後の状態を示している。
【符号の説明】
【００３２】
１  プラズマディスプレイパネル
２    フロントキャビネット
３    リアキャビネット
４    筐体
５    シャーシ部材
６    電源基板（回路ブロック）
７    スケラー基板（回路ブロック）
８    デジタル基板（回路ブロック）
９    インバータ基板（回路ブロック）
１１    放熱板
１１Ａ    屈曲部
１５    ＥＭＩフィルタ
１６    シールド部材
２０,３０    導電クッション
３０ａ    テーパ面
【図１】
0003129997.tif 000003
【図２】
0003129997.tif 000004
【図３】
0003129997.tif 000005
【図４】
0003129997.tif 000006